(57)【要約】【課題】媒体を切断する際に発生する媒体の切り屑が記録部に付着することを抑制する。【解決手段】搬送される媒体Ｍの記録面ＭＰに記録部１４により記録を行う記録工程（ステップＳ１２０）と、記録面ＭＰが内面となるように媒体Ｍに湾曲部１５を形成する形成工程（ステップＳ１３０）と、湾曲部１５を切断する切断工程（ステップＳ１５０）と、を有する媒体切断方法。このような媒体切断方法を実行することで、媒体Ｍを切断する際に発生する媒体Ｍの切り屑Ｔが記録部１４に付着することを抑制することが可能になる。【選択図】図９
2019123184.tif 000002
【特許請求の範囲】
【請求項１】
搬送される媒体の記録面に記録部により記録を行う記録工程と、
前記記録面が内面となるように前記媒体に湾曲部を形成する形成工程と、
前記湾曲部を切断する切断工程と、
を有することを特徴とする媒体切断方法。
【請求項２】
請求項１に記載の媒体切断方法において、
前記形成工程は、押し当て部材を前記記録面に押し当てて前記湾曲部を形成することを特徴とする媒体切断方法。
【請求項３】
請求項１に記載の媒体切断方法において、
前記形成工程は、前記媒体を案内部に沿わせて搬送することで前記湾曲部を形成することを特徴とする媒体切断方法。
【請求項４】
請求項１に記載の媒体切断方法において、
前記形成工程は、前記媒体の搬送方向上流側で前記媒体を挟持する上流側挟持部と、前記上流側挟持部よりも前記媒体の搬送方向下流側で前記媒体を挟持する下流側挟持部と、で前記媒体を挟持させることで前記湾曲部を形成することを特徴とする媒体切断方法。
【請求項５】
媒体の搬送部と、
前記搬送部により搬送される前記媒体の記録面に記録を行う記録部と、
前記記録面が内面となるように前記媒体に湾曲部を形成する形成部と、
前記湾曲部を切断する切断部と、
を備えることを特徴とする記録装置。
【請求項６】
請求項５に記載の記録装置において、
前記形成部は、前記記録面に押し当てて前記湾曲部を形成する押し当て部材を有することを特徴とする記録装置。
【請求項７】
請求項５に記載の記録装置において、
前記形成部は、前記媒体を沿わせて搬送することで前記湾曲部を形成する案内部を有することを特徴とする記録装置。
【請求項８】
請求項５に記載の記録装置において、
前記形成部は、前記媒体の搬送方向上流側で前記媒体を挟持する上流側挟持部と、前記上流側挟持部よりも前記媒体の搬送方向下流側で前記媒体を挟持する下流側挟持部と、を有し、上流側挟持部と下流側挟持部とは、上流側挟持部の挟持箇所における接平面と、下流側挟持部の挟持箇所における接平面とが、交差するような位置関係に配置されることを特徴とする記録装置。
【請求項９】
請求項５から８のいずれか１項に記載の記録装置において、
前記切断部は、切断刃と、前記切断刃と前記媒体を介して対向する位置に設けられ前記切断刃を受ける受け部と、を有することを特徴とする記録装置。
【請求項１０】
請求項５から９のいずれか１項に記載の記録装置において、
前記湾曲部の外面側に回収部を備えることを特徴とする記録装置。
【発明の詳細な説明】
【技術分野】
【０００１】
本発明は、媒体切断方法及び記録装置に関する。
【背景技術】
【０００２】
従来から、様々な構成の記録装置が使用されている。このうち、搬送される媒体に記録を行う記録部と、該媒体を切断する切断部と、を備える記録装置がある。  
例えば、特許文献１には、プラテンに沿わせて記録媒体を搬送し、記録面に記録ヘッド（記録部）で記録を行うとともに、記録媒体をカッタ（切断部）で切断する構成のプリンタ（記録装置）が開示されている。
【先行技術文献】
【特許文献】
【０００３】
【特許文献１】特開平１１−３４４３３号公報
【発明の概要】
【発明が解決しようとする課題】
【０００４】
媒体を切断する際には、媒体の切り屑（紙粉など）が発生する。そして、媒体の切り屑は、媒体を切断することに伴う媒体の姿勢変化（例えば、媒体を湾曲させた状態で切断することに伴って、張力により湾曲状態から解放される切断端部が跳ねることなど）で、飛散する。  
しかしながら、特許文献１に開示されるプリンタにおいては、ローラー状のプラテンに沿って湾曲した湾曲部の外面側に記録ヘッドがあるため、湾曲した記録媒体を切断することに伴う記録媒体の姿勢変化により、記録ヘッドに向かって記録媒体の切り屑が飛散することが考えられる。記録ヘッド（記録部）に記録媒体（媒体）の切り屑が付着すると、記録不良を引き起こし、記録品質が低下する場合がある。そこで、媒体を切断する際に発生する媒体の切り屑が記録部に付着することを抑制することが望まれている。
【０００５】
そこで、本発明は、媒体を切断する際に発生する媒体の切り屑が記録部に付着することを抑制することを目的にする。
【課題を解決するための手段】
【０００６】
上記課題を解決するための本発明の第１の態様の媒体切断方法は、搬送される媒体の記録面に記録部により記録を行う記録工程と、前記記録面が内面となるように前記媒体に湾曲部を形成する形成工程と、前記湾曲部を切断する切断工程と、を有することを特徴とする。
【０００７】
本態様によれば、記録面が内面となるように媒体に湾曲部を形成するので、記録部の位置は湾曲部の内面側となる。このため、湾曲部を切断することに伴って張力により湾曲部が外面側に跳ねても、媒体の切り屑は記録部に向かって飛散することはない。したがって、媒体を切断する際に発生する媒体の切り屑が記録部に付着することを抑制できる。
【０００８】
本発明の第２の態様の媒体切断方法は、前記第１の態様において、前記形成工程は、押し当て部材を前記記録面に押し当てて前記湾曲部を形成することを特徴とする。
【０００９】
本態様によれば、押し当て部材を記録面に押し当てて前記湾曲部を形成することで、媒体を切断するときにのみ湾曲部を形成する構成とすることができ、常時湾曲部を形成する構成に比べて媒体の変形を抑制できる。
【００１０】
本発明の第３の態様の媒体切断方法は、前記第１の態様において、前記形成工程は、前記媒体を案内部に沿わせて搬送することで前記湾曲部を形成することを特徴とする。
【００１１】
本態様によれば、媒体を案内部に沿わせて搬送することで湾曲部を形成するので、簡単な構成で湾曲部を形成できる。
【００１２】
本発明の第４の態様の媒体切断方法は、前記第１の態様において、前記形成工程は、前記媒体の搬送方向上流側で前記媒体を挟持する上流側挟持部と、前記上流側挟持部よりも前記媒体の搬送方向下流側で前記媒体を挟持する下流側挟持部と、で前記媒体を挟持させることで前記湾曲部を形成することを特徴とする。
【００１３】
本態様によれば、上流側挟持部と下流側挟持部とで媒体を挟持させることで湾曲部を形成するので、簡単な構成で湾曲部を形成できる。
【００１４】
本発明の第５の態様の記録装置は、媒体の搬送部と、前記搬送部により搬送される前記媒体の記録面に記録を行う記録部と、前記記録面が内面となるように前記媒体に湾曲部を形成する形成部と、前記湾曲部を切断する切断部と、を備えることを特徴とする。
【００１５】
本態様によれば、記録面が内面となるように媒体に湾曲部を形成するので、記録部の位置は湾曲部の内面側となる。このため、湾曲部を切断することに伴って張力により湾曲部が外面側に跳ねても、媒体の切り屑は記録部に向かって飛散することはない。したがって、媒体を切断する際に発生する媒体の切り屑が記録部に付着することを抑制できる。
【００１６】
本発明の第６の態様の記録装置は、前記第５の態様において、前記形成部は、前記記録面に押し当てて前記湾曲部を形成する押し当て部材を有することを特徴とする。
【００１７】
本態様によれば、記録面に押し当てて前記湾曲部を形成する押し当て部材を有することで、媒体を切断するときにのみ湾曲部を形成する構成とすることができ、常時湾曲部を形成する構成に比べて媒体の変形を抑制できる。
【００１８】
本発明の第７の態様の記録装置は、前記第５の態様において、前記形成部は、前記媒体を沿わせて搬送することで前記湾曲部を形成する案内部を有することを特徴とする。
【００１９】
本態様によれば、媒体を沿わせて搬送することで湾曲部を形成する案内部を有するので、簡単な構成で湾曲部を形成できる。
【００２０】
本発明の第８の態様の記録装置は、前記第５の態様において、前記形成部は、前記媒体の搬送方向上流側で前記媒体を挟持する上流側挟持部と、前記上流側挟持部よりも前記媒体の搬送方向下流側で前記媒体を挟持する下流側挟持部と、を有し、前記上流側挟持部と前記下流側挟持部とは、前記上流側挟持部の挟持箇所における接平面と、前記下流側挟持部の挟持箇所における接平面とが、交差するような位置関係に配置されることを特徴とする。
【００２１】
本態様によれば、上流側挟持部と下流側挟持部とで媒体を挟持させることで湾曲部を形成できるので、簡単な構成で湾曲部を形成できる。
【００２２】
本発明の第９の態様の記録装置は、前記第５から第８のいずれか１つの態様において、前記切断部は、切断刃と、前記切断刃と前記媒体を介して対向する位置に設けられ前記切断刃を受ける受け部と、を有することを特徴とする。
【００２３】
本態様によれば、切断部を切断刃と受け部とからなる簡単な構成にすることができる。
【００２４】
本発明の第１０の態様の記録装置は、前記第５から第９のいずれか１つの態様において、前記湾曲部の外面側に回収部を備えることを特徴とする。
【００２５】
本態様によれば、湾曲部の外面側の回収部で効果的に媒体の切り屑を回収でき、媒体の切り屑をまき散らすことを抑制できる。
【図面の簡単な説明】
【００２６】
【図１】本発明の実施例１に係る記録装置の概略側面図。
【図２】本発明の実施例１に係る記録装置の概略側面図。
【図３】本発明の実施例１に係る記録装置のブロック図。
【図４】本発明の実施例２に係る記録装置の概略側面図。
【図５】本発明の実施例２に係る記録装置の概略側面図。
【図６】本発明の実施例３に係る記録装置の概略側面図。
【図７】本発明の実施例３に係る記録装置の概略側面図。
【図８】本発明の実施例３に係る記録装置の概略側面図。
【図９】本発明の一実施例に係る媒体切断方法のフローチャート。
【発明を実施するための形態】
【００２７】
以下に、本発明の一実施例に係る記録装置１について、添付図面を参照して詳細に説明する。  
［実施例１］（図１〜図３）  
最初に、本発明の実施例１に係る記録装置１の概要について説明する。  
図１及び図２は、本実施例に係る記録装置１の概略側面図である。このうち、図１は記録部としての記録ヘッド１４から搬送される媒体Ｍに記録を行っている状態を表しており、図２は切断部８で媒体Ｍを切断した直後の状態を表している。
【００２８】
図１及び図２で表されるように、本実施例の記録装置１は、長尺状の媒体Ｍが巻かれたロールＲをセットするセット部２と、媒体Ｍを搬送方向Ａに搬送する搬送ローラー対３などの搬送部と、を備えている。
【００２９】
また、本実施例の記録装置１は、搬送方向Ａに搬送される媒体Ｍに対して、該搬送方向Ａと交差（直交）する往復方向Ｂに移動するヘッドキャリッジ４を備えている。そして、本実施例のヘッドキャリッジ４には、媒体Ｍの記録面ＭＰに記録を行う記録ヘッド１４が設けられている。
【００３０】
ここで、本実施例の記録装置１は、複数色のインクを吐出方向Ｃに吐出して画像を形成可能なインクジェットプリンターである。そして、本実施例の記録部（記録ヘッド１４）は搬送方向Ａに沿って複数のノズルが並べられるノズル列をインクごとに有する所謂シリアルヘッドである。ただし、記録部の構成に特に限定はない。記録部として、シリアルヘッドの代わりに、インクを吐出するノズルを搬送方向Ａと交差する交差方向に複数設けた所謂ラインヘッドを備えていてもよい。  
ここで、「ラインヘッド」とは、該交差方向に形成されたノズルの領域が、該交差方向全体をカバー可能なように設けられ、記録ヘッド又は媒体Ｍを相対的に移動させて画像を形成する記録装置に用いられる記録ヘッドである。なお、ラインヘッドの該交差方向のノズルの領域は、記録装置が対応している全ての媒体の該交差方向をカバー可能でなくてもよい。  
また、本実施例の記録ヘッド１４は、媒体Ｍにインクを吐出することで記録可能な記録部であるが、このような記録部に限定されず、例えば、色材を媒体Ｍに転写して記録する転写式の記録部を使用してもよい。
【００３１】
また、本実施例の記録装置１は、搬送方向Ａにおける記録ヘッド１４よりも下流側に、媒体Ｍを挟持するローラー対５を備えている。詳細には、ローラー対５としてローラー対５ａとローラー対５ｂとを備えており、図１で表されるように、ローラー対５ａとローラー対５ｂとで媒体Ｍを挟持することで媒体Ｍに湾曲部１５が形成される構成になっている。そして、搬送方向Ａにおけるローラー対５ａよりも下流側で、ローラー対５ｂや不図示の搬送ローラーなどにより、媒体Ｍは記録装置１の内部から外部へ排出（搬送）される。なお、本実施例のローラー対５ａ及びローラー対５ｂは共に、搬送モーター２７（図３参照）に接続された駆動ローラーを有しており、搬送ローラーを兼ねている。しかしながら、ローラー対５は、従動ローラーのみで構成されていてもよい。
【００３２】
そして、本実施例の記録装置１は、ローラー対５ａとローラー対５ｂとの間の位置であって媒体Ｍに湾曲部１５が形成される位置に、媒体Ｍの切断部８を備えている。本実施例の切断部８は、媒体Ｍの幅方向（往復方向Ｂに沿う方向）に延びる切断刃６（切断刃６ａ）と、該切断刃６ａを受ける溝状の受け部７とを有している。本実施例の切断部８は、図２で表されるように、図１で表される位置から切断刃６ａを方向Ｄ１に移動して媒体Ｍを幅方向に切断する所謂ギロチンタイプの切断部である。ただし、切断部８の構成は、このようなギロチンタイプの切断部に限定されない。
【００３３】
図１で表される状態から、図２で表されるように、切断部８により媒体Ｍを切断すると、張力により湾曲部１５が外面側（記録面ＭＰとは反対側）に跳ねる（方向Ｅに移動する）。この際、媒体Ｍを切断することに伴う紙粉などの切り屑Ｔが発生する場合があるが、本実施例の記録装置１は、湾曲部１５の外面側に対応する位置に、回収部９（回収部９ａ）を備えている。このため、媒体Ｍの切り屑Ｔを効率よく回収できる構成になっている。  
ここで、「湾曲部１５の外面側」とは、媒体Ｍの搬送方向Ａにおいて媒体Ｍが湾曲部１５に向けて進入する進入平面と媒体Ｍが湾曲部１５から排出される排出平面とが交差する側と表現することができる。
【００３４】
なお、本実施例の記録装置１においては、記録面ＭＰが湾曲部１５における内面側となる構成になっている。すなわち、記録ヘッド１４の位置は、湾曲部１５の外面側とは媒体Ｍを挟んで反対側となる内面側の位置となっている。上記のように、切断部８により媒体Ｍの湾曲部１５を切断すると、張力により湾曲部１５は外面側に跳ねるので、切り屑Ｔは記録ヘッド１４の位置とは反対側に飛ばされることとなる。
【００３５】
ここで一旦まとめると、本実施例の記録装置１は、搬送ローラー対３などの媒体Ｍの搬送部と、該搬送部により搬送される媒体Ｍの記録面ＭＰに記録を行う記録ヘッド１４と、記録面ＭＰが内面となるように媒体Ｍに湾曲部１５を形成する形成部としてのローラー対５と、湾曲部１５を切断する切断部８と、を備えている。  
形成部について別の表現をすると、本実施例の形成部（ローラー対５）は、湾曲部１５の内面側に記録ヘッド１４が位置するように該湾曲部１５を形成する。  
このように、本実施例の記録装置１は、記録面ＭＰが内面となるように媒体Ｍに湾曲部１５を形成するので、記録ヘッド１４の位置は湾曲部１５の内面側となる。このため、湾曲部１５を切断することに伴って張力により湾曲部１５が外面側に跳ねても、媒体Ｍの切り屑Ｔは記録ヘッド１４に向かって飛散することはない。したがって、本実施例の記録装置１は、媒体Ｍを切断する際に発生する媒体Ｍの切り屑Ｔが記録ヘッド１４に付着することを抑制できる構成になっている。なお、媒体Ｍが張力により外面側に跳ねる状態となる位置であれば、湾曲部１５の何処を切断してもよい。
【００３６】
また、上記のように、本実施例の記録装置１において媒体Ｍに湾曲部１５を形成するローラー対５は、搬送方向Ａの上流側で媒体Ｍを挟持する上流側挟持部としてのローラー対５ａと、ローラー対５ａよりも搬送方向Ａの下流側で媒体Ｍを挟持する下流側挟持部としてのローラー対５ｂと、を有し、上流側挟持部と下流側挟持部とは、上流側挟持部の挟持箇所における接平面と、下流側挟持部の挟持箇所における接平面とが、交差するような位置関係に配置されている。  
このように、本実施例の記録装置１は、上流側挟持部（ローラー対５ａ）と下流側挟持部（ローラー対５ｂ）とで媒体Ｍを挟持させることで湾曲部１５を形成している。すなわち、簡単な構成で湾曲部を形成している。なお、媒体Ｍが搬送され、少なくとも上流側挟持部から下流側挟持部に至るまでの間は、搬送経路に沿って媒体Ｍを案内する案内部が配置されていることが好ましい。案内部は、少なくとも媒体Ｍの切断時には、媒体Ｍが張力により外面側に跳ねることを妨げないように退避する。
【００３７】
また、上記のように、本実施例の切断部８は、切断刃６と、切断刃６と媒体Ｍを介して対向する位置に設けられ切断刃６を受ける受け部７と、を有している。  
このように、本実施例の記録装置１は、切断部８を切断刃６と受け部７とからなる簡単な構成にしている。
【００３８】
また、上記のように、本実施例の記録装置１は、湾曲部１５の外面側に回収部９を備えているため、湾曲部１５の外面側の回収部９で効果的に媒体Ｍの切り屑Ｔを回収でき、媒体Ｍの切り屑Ｔをまき散らすことを抑制している。
【００３９】
次に、本実施例の記録装置１における電気的な構成について説明する。  
図３は、本実施例の記録装置１のブロック図である。
【００４０】
制御部２０には、記録装置１の全体の制御を司るＣＰＵ２１が設けられている。ＣＰＵ２１は、システムバス２２を介して、ＣＰＵ２１が実行する各種制御プログラム等を格納したＲＯＭ２３と、データを一時的に格納可能なＲＡＭ２４と接続されている。
【００４１】
また、ＣＰＵ２１は、システムバス２２を介して、モーター駆動部２５と接続されている。モーター駆動部２５は、媒体Ｍを搬送方向Ａに搬送する搬送ローラー対３などの搬送部を駆動する搬送モーター２７、ヘッドキャリッジ４を往復方向Ｂに往復移動させるキャリッジモーター２８、切断刃６ａを方向Ｄ１及びその反対方向に移動させる切断刃モーター２９、と接続されている。
【００４２】
さらに、ＣＰＵ２１は、システムバス２２を介して、記録ヘッド１４を駆動（吐出方向Ｃにインクを吐出）するための記録ヘッド駆動部２６と接続されている。
【００４３】
次に、実施例２の記録装置１について説明する。  
［実施例２］（図４及び図５）  
図４及び図５は本実施例の記録装置１を表す概略側面図であり、このうち、図４は記録装置１の図１に対応する図（媒体Ｍに記録を行っている状態）であり、図５は記録装置１の図２に対応する図（媒体Ｍを切断した直後の状態）である。なお、上記実施例１と共通する構成部材は同じ符号で示しており、詳細な説明は省略する。
【００４４】
図４及び図５で表されるように、本実施例の記録装置１は、媒体Ｍに湾曲部１５を形成する形成部として、ローラー対５ａ及びローラー対５ｂの代わりに、媒体Ｍを沿わせて搬送することで湾曲部１５を形成する案内部としての円柱状部１０を有している。  
このように、本実施例の記録装置１は、媒体Ｍを沿わせて搬送することで湾曲部１５を形成する円柱状部１０を有している。すなわち、簡単な構成で湾曲部１５を形成している。
【００４５】
ここで、本実施例の記録装置１は、媒体Ｍを介して円柱状部１０と対向する位置に、媒体Ｍの幅方向（往復方向Ｂに沿う方向）に延びる切断刃６としての可動刃６ｂを有する円柱状部１１を備えている。そして、円柱状部１０には、可動刃６ｂに対応する溝状の受け部７が形成されている。本実施例の切断部８は、図５で表されるように、図４で表される位置から可動刃６ｂを方向Ｄ２に移動して媒体Ｍを幅方向に切断する所謂ギロチンタイプの切断部である。
【００４６】
なお、本実施例の記録装置１は、媒体Ｍを切断することに伴って生じる媒体Ｍの切り屑Ｔを回収する回収部を設ける代わりに、湾曲部１５の外面側の位置に孔部１２を設け、記録装置１の外部に媒体Ｍの切り屑Ｔを逃がす構成になっている。このような構成としていることで、本実施例の記録装置１は、低コスト化している。しかし、実施例１のように、湾曲部１５の外面側の位置に回収部９を備える構成としてもよい。
【００４７】
次に、実施例３の記録装置１について説明する。  
［実施例３］（図６〜図８）  
図６から図８は本実施例の記録装置１を表す概略側面図であり、このうち、図６は記録装置１の図１に対応する図（媒体Ｍに記録を行っている状態）であり、図７は媒体Ｍを切断する直前の状態の図であり、図８は記録装置１の図２に対応する図（媒体Ｍを切断した直後の状態）である。なお、上記実施例１および実施例２と共通する構成部材は同じ符号で示しており、詳細な説明は省略する。
【００４８】
図６から図８で表されるように、本実施例の記録装置１は、媒体Ｍに湾曲部１５を形成する形成部として、ローラー対５ａ及びローラー対５ｂ、並びに、円柱状部１０の代わりに、記録面ＭＰに押し当てて湾曲部１５を形成する円柱状の押し当て部材１３を有している。  
このように、本実施例の記録装置１は、記録面ＭＰに押し当てて湾曲部１５を形成する押し当て部材１３を有していることで、媒体Ｍを切断するときにのみ湾曲部１５を形成する構成としている。すなわち、本実施例の記録装置１は、上記実施例１および実施例２の記録装置１のように常時湾曲部１５を形成する構成に比べて、媒体Ｍの変形を抑制できる構成になっている。
【００４９】
ここで、本実施例の記録装置１は、押し当て部材１３に媒体Ｍの幅方向（往復方向Ｂに沿う方向）に延びる切断刃６としての切断刃６ｃを備えている。そして、切断刃６ｃと媒体Ｍを介して対向可能な位置に、媒体Ｍの幅方向に沿って移動可能な切断刃６としての円板上の可動刃６ｄを備えている。図７で表されるように押し当て部材１３を媒体Ｍに押し当てて湾曲部１５を形成した状態で可動刃６ｄを媒体Ｍの幅方向に沿って移動させることで、図８で表されるように切断刃６ｃと可動刃６ｄとが噛合い、可動刃６ｄの移動に伴って媒体Ｍを切断できる。
【００５０】
なお、図６から図８で表されるように、本実施例の記録装置１は、押し当て部材１３の下方である湾曲部１５の外面側の位置に、回収部９（回収部９ｂ）を備えている。このため、媒体Ｍの切り屑Ｔを効率よく回収できる構成になっている。
【００５１】
次に、上記実施例１から実施例３の記録装置１を用いて行う媒体切断方法の一例についてフローチャートを用いて説明する。  
ここで、図９は、一実施例に係る媒体切断方法のフローチャートである。
【００５２】
図９で表されるように、本実施例の媒体切断方法においては、最初にステップＳ１１０で記録データを入力すると、ステップＳ１２０で、該記録データに基づいて、搬送される媒体Ｍの記録面ＭＰに記録ヘッド１４により記録を行う記録工程を実行する。
【００５３】
そして、ステップＳ１２０の記録工程の実行に伴い媒体Ｍが搬送されることで、記録面ＭＰが内面となるように媒体Ｍに湾曲部１５が形成される（ステップＳ１３０：湾曲部１５の形成工程）。
【００５４】
そして、ステップＳ１４０により、ステップＳ１１０で入力した記録データに基づく記録が終了するまでステップＳ１２０からステップＳ１４０を繰り返した後、ステップＳ１５０に移行する。
【００５５】
ステップＳ１５０では、所定の切断位置が切断部８の形成位置まで来るように媒体Ｍを搬送方向Ａに搬送し、切断部８で湾曲部１５を切断し、本実施例の媒体切断方法を終了する。  
なお、本実施例の媒体切断方法においては、記録ヘッド１４による記録位置と湾曲部１５の形成位置とが近い記録装置１を用いて実行する方法であるため、記録工程の実行に伴う媒体Ｍの搬送により湾曲部１５の形成工程が実行される。ただし、このような方法に限定されず、例えば記録位置と形成位置とが遠い記録装置を用いて、記録データの記録が終了した後に媒体Ｍを所定の切断位置まで搬送することで媒体Ｍに湾曲部１５を形成（すなわち、ステップＳ１３０とステップＳ１４０とを入れ替える）してもよい。
【００５６】
上記のように、本実施例の媒体切断方法は、搬送される媒体Ｍの記録面ＭＰに記録ヘッド１４により記録を行う記録工程（ステップＳ１２０）と、記録面ＭＰが内面となるように媒体Ｍに湾曲部１５を形成する形成工程（ステップＳ１３０）と、湾曲部１５を切断する切断工程（ステップＳ１４０）と、を有する。  
すなわち、本実施例の媒体切断方法は、湾曲部１５の内面側に記録ヘッド１４を配置した状態で該湾曲部１５（媒体Ｍ）を切断する。  
このように、本実施例の媒体切断方法は、記録面ＭＰが内面となるように媒体Ｍに湾曲部１５を形成するので、記録ヘッド１４の位置は湾曲部１５の内面側となる。このため、湾曲部１５を切断することに伴って張力により湾曲部１５が外面側に跳ねても、媒体Ｍの切り屑Ｔは記録ヘッド１４に向かって飛散することはない。したがって、本実施例の媒体切断方法は、媒体Ｍを切断する際に発生する媒体Ｍの切り屑Ｔが記録ヘッド１４に付着することを抑制できる。
【００５７】
ここで、本実施例の媒体切断方法は、実施例１の記録装置１を使用することにより、形成工程（ステップＳ１３０）において、媒体Ｍの搬送方向上流側で媒体Ｍを挟持する上流側挟持部（ローラー対５ａ）と、ローラー対５ａよりも媒体Ｍの搬送方向下流側で媒体Ｍを挟持する下流側挟持部（ローラー対５ｂ）と、で媒体Ｍを挟持させることで湾曲部１５を形成できる。したがって、上流側挟持部と下流側挟持部とで媒体Ｍを挟持させることで湾曲部１５を形成するので、簡単な構成で湾曲部１５を形成できる。
【００５８】
また、本実施例の媒体切断方法は、実施例２の記録装置１を使用することにより、形成工程（ステップＳ１３０）において、媒体Ｍを案内部（円柱状部１０）に沿わせて搬送することで湾曲部１５を形成できる。したがって、媒体Ｍを案内部に沿わせて搬送することで湾曲部１５を形成するので、簡単な構成で湾曲部１５を形成できる。
【００５９】
また、本実施例の媒体切断方法は、実施例３の記録装置１を使用することにより、形成工程（ステップＳ１３０）において、押し当て部材１３を記録面ＭＰに押し当てて湾曲部１５を形成できる。したがって、媒体Ｍを切断するときにのみ湾曲部１５を形成する構成の記録装置１とすることができ、常時湾曲部１５を形成する構成に比べて媒体Ｍの変形を抑制できる。
【００６０】
なお、本発明は上記実施例に限定されることなく、特許請求の範囲に記載した発明の範囲内で種々の変形が可能であり、それらも本発明の範囲内に含まれることは言うまでもない。
【符号の説明】
【００６１】
１…記録装置、２…セット部、３…搬送ローラー対（搬送部）、４…ヘッドキャリッジ、
５…ローラー対（形成部）、５ａ…ローラー対（上流側挟持部）、
５ｂ…ローラー対（下流側挟持部）、６…切断刃、６ａ…切断刃、６ｂ…可動刃、
６ｃ…切断刃、６ｄ…可動刃、７…受け部、８…切断部、９…回収部、９ａ…回収部、
９ｂ…回収部、１０…円柱状部（形成部、案内部）、１１…円柱状部、１２…孔部、
１３…押し当て部材（形成部）、１４…記録ヘッド（記録部）、１５…湾曲部、
２０…制御部、２１…ＣＰＵ、２２…システムバス、２３…ＲＯＭ、２４…ＲＡＭ、
２５…モーター駆動部、２６…記録ヘッド駆動部、２７…搬送モーター、
２８…キャリッジモーター、２９…切断刃モーター、Ｍ…媒体、ＭＰ…記録面、
Ｒ…媒体Ｍが巻かれたロール、Ｔ…媒体Ｍの切り屑
【図１】
2019123184.tif 000003
【図２】
2019123184.tif 000004
【図３】
2019123184.tif 000005
【図４】
2019123184.tif 000006
【図５】
2019123184.tif 000007
【図６】
2019123184.tif 000008
【図７】
2019123184.tif 000009
【図８】
2019123184.tif 000010
【図９】
2019123184.tif 000011